(57)【要約】【課題】使用者が携帯端末の着信や保留時の状態を確実に認識できるとともに、その認識には使用者の好みの信号音源を用いることができるようにする。【解決手段】ダウンロードするための情報通信処理方法であり、複数種類の信号音源のデータを有するデータベース１２から所望の種類の信号音源のデータを選択し、選択した種類の信号音源のデータを、通信回線１００を介して通信端末１に対してダウンロードして通信端末１に保管する。【選択図】図１
2006050661.tif 000002
【特許請求の範囲】
【請求項１】
情報通信処理装置から無線電話通信を介して音源データを受信する第１の受信手段と、
外部機器にケーブルを介して接続し、音源データを受信する第２の受信手段と、
前記第１の受信手段および前記第２の受信手段により受信した音源データを着信時に音声出力する音源データとして記憶する記憶手段と
を備えることを特徴とする無線携帯電話端末装置。
【請求項２】
情報通信処理装置から無線電話通信を介して音源データを受信する第１の受信手段と、
外部機器にケーブルを介して接続し、音源データを受信する第２の受信手段と、
前記第１の受信手段および前記第２の受信手段により受信した音源データを記憶する第１の記憶手段と、
前記第１の記憶手段に記憶されている音源データを音声に変換するプログラムを記憶する第２の記憶手段と
を備えることを特徴とする無線携帯電話端末装置。
【発明の詳細な説明】
【技術分野】
【０００１】
本発明は、無線携帯電話端末装置に関し、特に、保有する使用者に対して発生する信号音源を、通信端末に対してダウンロードすることができるようにした無線携帯電話端末装置に関する。
【背景技術】
【０００２】
通信端末として、例えば既存の携帯電話やパーソナルハンディホンシステム（ＰＨＳ）、あるいは家庭用電話が保有する着信時の音源である着信メロディーや通信保留時の音源である保留メロディーは、これらの通信端末の製造工場において出荷する時に複数種類用意されてはいる。
【発明の開示】
【発明が解決しようとする課題】
【０００３】
しかしながら、この種の着信あるいは保留メロディーは、耳障りな電子音であることには変わりなく、これらの電子音はある限られた周波数帯域のみを使用しているものなので、いろいろ周波数帯の音が混じり合った環境下で生活している使用者にとっては耳障りなものになってしまい、昨今では環境問題としてしばしば放送メディアにも取り上げられている。
【０００４】
通信端末を製造するメーカーからは、この問題に対する一つの解決策としてバイブレーターを内蔵した通信端末が提供されているが、このようなバイブレーターを備える通信端末を使用する場合には、通信端末を使用者の体に接触させていないと使用者は着信したり保留していることを振動で認識することができないので、着信あるいは通信保留時の認識を得るための完全な解決策にはなっていない。
【０００５】
そこで本発明は上記課題を解消し、使用者が携帯端末の着信や保留時の状態を確実に認識できるとともに、その認識には使用者の好みの信号音源を用いることを目的としている。
【課題を解決するための手段】
【０００６】
本発明の第１の無線携帯電話端末装置は、情報通信処理装置から無線電話通信を介して音源データを受信する第１の受信手段と、外部機器にケーブルを介して接続し、音源データを受信する第２の受信手段と、前記第１の受信手段および前記第２の受信手段により受信した音源データを着信時に音声出力する音源データとして記憶する記憶手段とを備えることを特徴とする。
【０００７】
本発明の第２の無線携帯電話端末装置は、情報通信処理装置から無線電話通信を介して音源データを受信する第１の受信手段と、外部機器にケーブルを介して接続し、音源データを受信する第２の受信手段と、前記第１の受信手段および前記第２の受信手段により受信した音源データを記憶する第１の記憶手段と、前記第１の記憶手段に記憶されている音源データを音声に変換するプログラムを記憶する第２の記憶手段とを備えることを特徴とする。
【０００８】
本発明の第１の無線携帯電話端末装置においては、情報通信処理装置から無線電話通信を介して音源データが受信され、外部機器にケーブルを介して接続され、音源データが受信される。また、受信された音源データが着信時に音声出力する音源データとして記憶される。
【０００９】
本発明の第２の無線携帯電話端末装置においては、情報通信処理装置から無線電話通信を介して音源データが受信され、外部機器にケーブルを介して接続され、音源データが受信される。また、受信された音源データが記憶され、記憶されている音源データを音声に変換するプログラムが記憶される。
【発明の効果】
【００１０】
本発明によれば、使用者が携帯端末の着信や保留時の状態を確実に認識できるとともに、その認識には使用者の好みの信号音源を用いることができる。
【発明を実施するための最良の形態】
【００１１】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１２】
実施の形態１
図１は、本発明の情報通信処理装置の好ましい実施の形態１を示している。
図２は、図１の情報通信処理装置を更に詳しく示すブロック図であり、図３は図１と図２の情報通信処理装置の動作例を示すフロー図である。
図１〜図３の実施の形態１における情報通信処理装置は次のような構成になっている。
図１と図２に示すように通信の対象となる通信端末１は、例えばデジタル方式の携帯電話やアナログ方式の携帯電話、あるいはパーソナルハンディホンシステム（ＰＨＳ）あるいは家庭用の電話である。実施の形態１では、通信端末１は携帯電話である。
この通信端末１に対して情報通信処理装置２が用いられる。この情報通信処理装置２は、システムサーバー３、モデム４、通信回線５、基地局６及び交換局７で構成されている。システムサーバー３はモデム４及び通信回線５を介して交換局７に接続されており、この交換局７は通信回線５を介して基地局６に接続されている。このモデム４から基地局６は、通信経路１００を構成している。
【００１３】
図２のシステムサーバー３は、選択データ受信処理部８、着信応答処理部９、課金システム１０、音声データ送信処理部１１及び音声データファイルのデータベース１２を有している。
これらの選択データ受信処理部８、着信応答処理部９、課金システム１０、音声データ送信処理部１１は電気的に接続されており、音声データファイルのデータベース１２は、音声データ送信処理部１１に電気的に接続されている。モデム４はシステムサーバー３の選択データ受信処理部８に電気的に接続されている。
選択データ受信処理部８は、通信端末１からの選択データＳＤを受信する。着信応答処理部９は、この選択データ受信処理部８が受信した選択データＳＤに基づいて、すなわちユーザー（使用者）からの選択データＳＤの着信に対応するために応答して、課金システム１０に対して応答信号ＲＳを与える。
【００１４】
課金システム１０は、着信応答処理部９からの応答信号ＲＳに基づいて、通信端末１を使用しているユーザーに対して課金を行う。例えば使用者が通信端末１を用いて選択データＳＤを一回選択データ受信処理部８に送る毎に、相当する金額をそのユーザーに対して課金していく。
音声データファイルのデータベース１２は、複数種類の信号音源のデータを有している。これらの信号音源のデータは、使用者がダウンロードしたいであろう楽曲の音声データファイルを保有している。
音声データ送信処理部１１は、課金システム１０から与えられる選択データＳＤに基づく指令信号ＤＳに基づいて、音声データファイルのデータベース１２からユーザーが所望する種類の信号音源のデータのみを取り込むことができる。そして音声データ送信処理部１１の信号音源のデータは、モデム４、電話回線５、交換局７、電話回線５、基地局６を介して送られ、基地局６はユーザーが選択した種類の信号音源のデータに基づいて音声データＡＤを通信端末１の音声データ受信処理部４０に送るようになっている。
【００１５】
次に通信端末１の構成について説明する。
通信端末１は選択データＳＤの送信部２０と、音声データＡＤの受信部２４を有している。
送信部２０は、端末認識処理部３０、音声選択処理部３１、選択データ送信処理部３２を有している。
一方、受信部２４は音声データ受信処理部４０、音声データ／音声変換処理部４１、音声データ変換回路４２、音声出力処理部４３等を有している。
送信部２０の端末認識処理部３０は、使用者が通信端末１の中で選択データＳＤを基地局６に送りたいために選択するテンキーボードを有する部分である。音声選択処理部３１は、端末認識処理部３０においてキーの選択により選択された例えば着信時の音源あるいは通信保留時の音源に用いようとする信号音源の音声データを選択処理して、選択データ送信処理部３２に指令信号ＥＳを送る。選択データ送信処理部３２は、この音声選択処理部３１からの指令信号ＥＳに基づいて、使用者が所望する種類の信号音源の選択データＳＤを基地局６に対して送信する。
【００１６】
受信部２４の音声データ受信処理部４０は、選択データＳＤに対応する音声データＡＤが基地局６から送られてくるとそれを受信して記憶する。音声データ受信処理部４０からこの音声データＡＤが送られると、音声データ／音声変換処理部４１は、音声データＡＤから音声に変換する。そして音声データ／音声変換処理部４１は音声出力処理部４３に信号を送り、音声出力処理部４３は音声データＡＤに対応する楽曲を、例えば着信時の音源あるいは通信保留時の音源等として通信端末１のユーザーに対して鳴らすことができる。
音声出力処理部４３は、例えば通信端末１に設けられているスピーカー及びその増幅部を用いることができる。音声データ変換回路４２は、音声データ／音声変換処理部４１に対して音声データと音声との対応関係の情報を送ることができ、それに基づいて音声データ／音声変換処理部４１が音声データＡＤを的確な音声に変換する。
【００１７】
次に、図１と図２の情報通信処理装置２を利用して、電話回線５で音声データファイルのデータベース１２（例えばＭＩＤＩフォーマットとする）を基地局６を介して通信端末１の受信部２４にダウンロードする動作例を説明する。
【００１８】
図３を参照すると、ユーザーは通信端末１の端末認識処理部３０のテンキーボードを用いて、システムサーバー３に対してダイヤルをする（ステップＳＴ１）。
システムサーバー３が、基地局６、電話回線５、交換局７、電話回線５、モデム４を介してシステムサーバー３の着信応答処理部９に着信応答すると（ステップＳＴ２）、着信応答処理部９が楽曲のカテゴリーの番号案内を、モデム４、交換局７、基地局６を介して端末認識処理部３０に送る（ステップＳＴ３）。これに基づいて、ユーザーは通信端末１の端末認識処理部３０でテンキーボードを用いて所望の楽曲のカテゴリー番号をダイヤルする（ステップＳＴ４）。端末認識処理部３０から選択された楽曲カテゴリー番号に対応する指令信号ＥＳが音声選択処理部３１から選択データ送信処理部３２に送られ、選択データＳＤが選択データ送信処理部３２から基地局６、交換局７、モデム４を介してシステムサーバー３の選択データ受信処理部８に送られる。
【００１９】
選択データ受信処理部８はその楽曲のカテゴリー番号に基づく選択データＳＤを受信すると、着信応答処理部９が次に楽曲名とアーティストの番号案内を、モデム４、交換局７、基地局６を介して通信端末１の端末認識処理部３０に送る（ステップＳＴ５）。ユーザーはこれに基づいて端末認識処理部３０のテンキーを用いて楽曲名、アーチスト番号をダイヤルする（ステップＳＴ６）。音声選択処理部３１は、楽曲名、アーティスト番号に基づいて指令信号ＥＳを選択データ送信処理部３２に送り、選択データ送信処理部３２は、楽曲名、アーティスト番号に基づく選択データＳＤを基地局６、交換局７、モデム４を介して選択データ受信処理部８に送る。
【００２０】
選択データ受信処理部８が楽曲名、アーティスト番号に基づく選択データＳＤを受けると、着信応答処理部９が「そのままお待ち下さい」とアナウンスをし（ステップＳＴ７）、着信応答処理部９が課金システム１０に対して応答信号ＲＳを送り課金を開始するとともに、課金システム１０が音声データ送信処理部１１に指令信号ＤＳを送り、音声データファイルのデータベース１２から上述した楽曲のカテゴリー番号、楽曲名、アーティスト番号に対応する音声データファイルを音声データ送信処理部１１に移す。
【００２１】
音声データ送信処理部１１は、この音声データファイルを、モデム４、交換局７、基地局６を介して音声データＡＤとして通信端末１の音声データ受信処理部４０に対して送信を開始する（ステップＳＴ８）。これにより音声データＡＤは通信端末１の音声データ受信処理部４０のメモリにストレージされる（ステップＳＴ９）。そしてシステムサーバー３側ではその音声データファイルの送信が終了したら回線を切断する（ステップＳＴ１１）。同様に通信端末内のメモリに音声データＡＤをストレージできたら通信端末１側の回線を切断する（ステップＳＴ１０）。
その後、音声データ受信処理部４０にストレージされた音声データＡＤは、音声データ／音声変換処理部４１で音声に変換されて、音声出力処理部４３がその楽曲をスピーカー等を介して通信端末１のユーザーに鳴らして、例えば通信端末１の着信時の音源あるいは通信保留時の音源として用いる。
【００２２】
ところで図２の音声データ変換回路４２に換えて、再生ソフトウェアを有するＲＯＭ（読出専用メモリ）を用いることもできる。
なお、使用者（ユーザー）が、システムサーバー３から音声ガイダンスに従ってダウンロードしたい楽曲の音声データファイルを指定する場合に、その音声データファイルの指定用の番号は、例えば別のメディア、事例として紙のチラシや、広告あるいはコマーシャル放送等で知らせることも可能である。
また通信端末１は、着信する度にあるいは保留する度にダウンロード済みの音声データを音声に変換して鳴らすことができる。
【００２３】
実施の形態２
図４と図５は、本発明の別の実施の形態２の情報通信処理装置を示しており、図６は図４と図５の情報通信処理装置の動作例を示している。
図４と図５の情報通信処理装置１０２は、使用者がある場所、例えばゲームセンターやコンビニエンスストア等へ行って、情報通信処理装置１０２内の音声データファイル（例えばＭＩＤＩフォーマット）をダウンロードすることができるものである。
情報通信処理装置１０２は、ジュークボックスタイプのものであり、コインＣを投入することにより情報通信処理装置１０２からケーブル５３を介して通信端末１０１に対して、所望の楽曲に対応する音声データＡＤをダウンロードすることができる。
【００２４】
図５の情報通信処理装置１０２は、課金システム５０、音声選択処理部５１、音声データ送信処理部５２を有している。
コインＣが投入口に投入されると、課金システム５０が働いて、課金システム５０は音声選択処理部５１に対して指令信号ＤＳを与え、これに基づいて音声選択処理部５１が作動できるようになっている。音声選択処理部５１は、複数種類の信号音源のデータを有するデータベースを有し、このデータベースの中から所望の信号音源を選択するために図４に示すような楽曲のジャンル別に設けられたボタンＢ１〜Ｂ９を有している。使用者がこの音声選択処理部５１のボタンを適宜押すことにより、所望する楽曲のカテゴリー、楽曲名、アーティストを選択することができる。
【００２５】
音声選択処理部５１は、選択されたボタンに基づいて、選択信号ＳＤを音声データ送信処理部５２に送り、音声データ送信処理部５２は、選択された楽曲のカテゴリー、楽曲名、アーティストに対応する音声データＡＤを、ケーブル５３を介して通信端末１０１の音声データ受信処理部６０に対して直接ダウンロードできる。情報通信処理装置１０２のケーブル５３は、例えば雄型のコネクタ５４を有しており、このコネクタ５４は、通信端末１０１の音声データ受信処理部６０の雌型のコネクタ５５に電気的に接続できる。従って音声データ送信処理部５２からの音声データＡＤは、ケーブル５３、コネクタ５４，５５を介して通信端末１０１の音声データ受信処理部６０に送られる。
【００２６】
次に通信端末１０１は、音声データ受信処理部６０、音声データ／音声変換処理部６１、音声データ変換回路６２、音声出力処理部６３を有している。
音声データ受信処理部６０は、メモリを備えており、音声データ送信処理部５２から送られてくる音声データＡＤを受信しそしてメモリに記録することができる。音声データ受信処理部６０から送られた音声データＡＤは、音声データ／音声変換処理部６１で音声に変換される。この音声データと音声の変換は音声データ変換回路６２からのデータに基づいて行うことができる。
音声データＡＤから音声に変換された信号は音声データ／音声変換処理部６１から音声出力処理部６３に送られて、音声出力処理部６３のスピーカーにより着信時の音源あるいは通信保留時の音源等として使用者に対して鳴らして知らせることができる。
【００２７】
次に、図６を参照して図４と図５の情報通信処理装置による情報通信処理方法の例を説明する。
まずユーザーが例えばコンビニエンスストアに立ち寄って、コンビニエンスストアに設置されている情報通信処理装置１０２のダウンロード専用のケーブル５３のコネクタ５４を通信端末１０１のコネクタ５５に接続する（ステップＳＰ１）。そしてユーザーは情報通信処理装置１０２の投入口１０３に対してダウンロード用の代金であるコインＣを投入する（ステップＳＰ２）。これにより課金システム５０が作動して指令信号ＤＳを音声選択処理部５１に送り音声選択処理部５１が作動可能な状態になる。
【００２８】
ユーザーは、情報通信処理装置１０２の音声選択処理部５１の画面を見て、その所望する楽曲のカテゴリー、楽曲名、アーティストに対応するボタン、例えばボタンＢ１を選択して押す（ステップＳＰ３）。
これにより音声選択処理部５１は選択信号ＳＤを音声データ送信処理部５２に送るので、音声データ送信処理部５２は、使用者が選択した楽曲に対応する音声データＡＤを、ケーブル５３、コネクタ５４，５５を介して音声データ受信処理部６０に対して直接ダウンロードをする。
通信端末１０１においては、音声データ受信処理部６０のメモリにこの音声データＡＤがメモリされるとともに、音声データ受信処理部６０から音声データＡＤが音声データ／音声変換処理部６１に送られて、その音声データＡＤが音声に変換される。そしてその音声は音声出力処理部６３において着信時あるいは保留時を知らせる音源としてその楽曲を鳴らせる（ステップＳＰ５）。
このように通信端末１０１は、音声データＡＤを音声データ受信処理部６０のメモリに記憶しているので、着信する度あるいは保留する度にダウンロード済みの音声データＡＤに基づいて使用者が所望する楽曲を音声に変換して鳴らすことができる。
【００２９】
なお音声データ変換回路６２に換えて、再生ソフトウェアを有するＲＯＭ（読み出し専用メモリ）を用いることも可能である。つまり電気回路によるハード構成に換えて、音声データから音声に変換するため再生ソフトウェアをＲＯＭに書き込むソフトウェア構成とすることができるのである。
以上のようにして、本発明の実施の形態の情報通信処理装置は、携帯電話、ＰＨＳあるいは家庭用電話等を買ったユーザーがいつでも自分の好みに応じたメロディー音に変えることができるという新しい環境を提供することができる。
【図面の簡単な説明】
【００３０】
【図１】本発明の情報通信処理装置の好ましい実施の形態を示す図。
【図２】図１の情報通信処理装置をより詳しく示す図。
【図３】図１と図２の情報通信処理装置の動作例を示す図。
【図４】本発明の実施の形態２の情報通信処理装置を示す図。
【図５】図４の情報通信処理装置を更に詳しく示す図。
【図６】図４と図５の情報通信処理装置の動作例を示す図。
【符号の説明】
【００３１】
１・・・通信端末、２，１０２・・・情報通信処理装置、３・・・システムサーバー、１２・・・音声データファイルのデータベース、５３・・・ケーブル、１００・・・通信経路（通信回線）、ＡＤ・・・ダウンロード用の音声データ
【図１】
2006050661.tif 000003
【図２】
2006050661.tif 000004
【図３】
2006050661.tif 000005
【図４】
2006050661.tif 000006
【図５】
2006050661.tif 000007
【図６】
2006050661.tif 000008